(57)【要約】【目的】処理装置が任意のリムーバブル記録媒体の利用を可能とするとともに、他の処理装置がリムーバブル記録媒体に記録したファイルを利用できないようにして著作権を保護する「リムーバブル記録媒体及びそのファイル制御方法」を提供すること。【構成】記録媒体と該記録媒体へのファイルアクセス制御を実行する制御部とを備えたリムーバブル記録媒体におけるファイル制御方法であり、リムーバブル記録媒体に該記録媒体のファイル構造をディレクトリ形式で保持させると共に、各処理装置に応じたフォルダーをファイル構造に含ませ、所定の処理装置にリムーバブル記録媒体が接続されたとき、該処理装置に応じたフォルダーのみを可視化する。【選択図】        図１
2005182122.tif 000002
【特許請求の範囲】
【請求項１】
記録媒体と該記録媒体へのファイルアクセス制御を実行する制御部とを備えたリムーバブル記録媒体におけるファイル制御方法において、
リムーバブル記録媒体に該記録媒体のファイル構造をディレクトリ形式で保持させると共に、処理装置に応じたフォルダーを該ファイル構造に含ませ、
所定の処理装置に前記リムーバブル記録媒体が接続されたとき、該処理装置に応じたフォルダーに所属するファイルのみ利用可能とし、かつ作成したファイルは該フォルダーに所属させる可視化制御を行なう、
ことを特徴とするファイル制御方法。
【請求項２】
前記可視化制御は前記処理装置に応じたフォルダーを仮想的にルートディレクトリとみなすことにより行なう、
ことを特徴とする請求項1記載のファイル制御方法。
【請求項３】
前記可視化制御は、
所定の処理装置にリムーバブル記録媒体が接続されたとき、該処理装置のＩＤを取得し、
該ＩＤが取得済みの場合には該処理装置に応じたフォルダーを可視化し、
該ＩＤが取得済みでなければ、該処理装置に応じた新規フォルダーを定義して前記ファイル構造のルートディレクトリに接続し、該新規フォルダーを可視化する、
ことにより行なうことを特徴とする請求項1又は２記載のファイル制御方法。
【請求項４】
前記処理装置のＩＤとフォルダーとの対応関係を保存する、
ことを特徴とする請求項３記載のファイル制御方法。
【請求項５】
前記処理装置は車載オーディオプロセッサであり、該車載オーディオプロセッサとフォルダーとの対応関係を予め保存する、
ことを特徴とする請求項1記載のファイル制御方法。
【請求項６】
前記リムーバブル記録媒体はリムーバブルハードディスクである、
ことを特徴とする請求項1乃至５記載のファイル制御方法。
【請求項７】
記録媒体と該記録媒体へのファイルアクセス制御を実行する制御部とを備えたリムーバブル記録媒体におけるファイル制御方法において、
リムーバブル記録媒体を複数の区画に分割すると共に区画を処理装置に割り当て、
所定の処理装置に該リムーバブル記録媒体が接続されたとき、該処理装置に応じた区画に記憶されたファイルのみ利用可能とし、かつ作成したファイルを該区画に記憶させる可視化制御を行なう、
ことを特徴とするファイル制御方法。
【請求項８】
前記可視化制御は、
所定の処理装置にリムーバブル記録媒体が接続されたとき、該処理装置のＩＤを取得し、
該ＩＤが取得済みの場合には該処理装置に応じた区画を可視化し、
該ＩＤが取得済みでなければ、該処理装置に空き区画を割り当て、該割り当てた区画を可視化する、
ことにより行なうことを特徴とする請求項７記載のファイル制御方法。
【請求項９】
前記処理装置のＩＤと割り当て区画との対応関係を保存する、
ことを特徴とする請求項８記載のファイル制御方法。
【請求項１０】
前記処理装置は車載オーディオプロセッサであり、該車載オーディオプロセッサと区画との対応関係を予め保存する、
ことを特徴とする請求項７記載のファイル制御方法。
【請求項１１】
前記リムーバブル記録媒体はリムーバブルハードディスクである、
ことを特徴とする請求項７乃至１０記載のファイル制御方法。
【請求項１２】
処理装置に対して着脱可能なリムーバブル記録媒体において、
ファイルを保存する記録媒体、
記録媒体のファイル構造をディレクトリ形式で該記録媒体に保持させると共に、処理装置に応じたフォルダーを該ファイル構造に含ませる手段、
処理装置とフォルダーの対応関係を保存する手段、
所定の処理装置に前記リムーバブル記録媒体が接続されたとき、該処理装置に応じたフォルダーに所属するファイルのみ利用可能とし、かつ作成したファイルを該フォルダーに所属させる可視化制御を行なう手段、
を備えたことを特徴とするリムーバブル記録媒体。
【請求項１３】
前記可視化制御手段は、前記処理装置に応じたフォルダーを仮想的にルートディレクトリとみなすことにより可視化制御を行なう、
ことを特徴とする請求項１２記載のリムーバブル記録媒体。
【請求項１４】
前記可視化制御手段は、
所定の処理装置にリムーバブル記録媒体が接続されたとき、該処理装置のＩＤを取得する手段、
該ＩＤが取得済みの場合には該処理装置に応じたフォルダーを可視化する手段、
該ＩＤが取得済みでなければ、該処理装置に応じた新規フォルダーを定義して前記ファイル構造のルートディレクトリに接続し、該新規フォルダーを可視化する手段、
を備えたことを特徴とする請求項１２又は１３記載のリムーバブル記録媒体。
【請求項１５】
前記処理装置は車載オーディオプロセッサであり、該車載オーディオプロセッサとフォルダーとの対応関係を予め前記記憶手段に保存する、
ことを特徴とする請求項1２記載のリムーバブル記録媒体。
【請求項１６】
前記記録媒体はハードディスクである、
ことを特徴とする請求項1２乃至１５記載のリムーバブル記録媒体。
【請求項１７】
処理装置に対して着脱可能なリムーバブル記録媒体において、
ファイルを保存する記録媒体、
該記録媒体を複数の区画に分割すると共に区画を処理装置に割り当てる手段、
区画と処理装置の対応関係を記憶する手段、
所定の処理装置に該リムーバブル記録媒体が接続されたとき、該処理装置に応じた区画に記憶されたファイルのみ利用可能とし、かつ作成したファイルを該区画に記憶させる可視化制御を行なう可視化制御手段、
を備えたことを特徴とするリムーバブル記録媒体。
【請求項１８】
前記可視化制御手段は、
所定の処理装置にリムーバブル記録媒体が接続されたとき、該処理装置のＩＤを取得する手段、
該ＩＤが取得済みの場合には該処理装置に応じた区画を可視化する手段、
該ＩＤが取得済みでなければ、該処理装置に空き区画を割り当て、該割り当てた区画を可視化する手段、
を備えたことを特徴とする請求項1７記載のリムーバブル記録媒体。
【請求項１９】
前記可視化制御手段は、前記空き区画が存在しない場合には前記処理装置からのファイルアクセスを拒絶する、
ことを特徴とする請求項1８記載のリムーバブル記録媒体。
【請求項２０】
前記処理装置は車載オーディオプロセッサであり、該車載オーディオプロセッサと区画との対応関係を予め前記記憶手段に保存する、
ことを特徴とする請求項１７記載のリムーバブル記録媒体。
【請求項２１】
前記記録媒体はハードディスクである、
ことを特徴とする請求項１７乃至２０記載のリムーバブル記録媒体。
【発明の詳細な説明】
【技術分野】
【０００１】
本発明はリムーバブル記録媒体及びそのファイル制御方法に係わり、特に著作権保護が可能なリムーバブル記録媒体及びそのファイル制御方法に関する。
【背景技術】
【０００２】
大容量記憶装置であるハードディスク(ＨＤＤ)等の記憶手段を備えたパソコンなどの処理装置では、処理結果を該記憶手段に書込み、適宜該記憶手段よりデータを読み取って処理する。この場合、図１３に示すようにハードディスク（ＨＤＤ）１がパソコン(ＰＣ)２に固定であれば、他のパソコンは該ハードディスク１に書込まれているデータを直接読み取って利用することはできず、著作権上の問題は生じない。
しかし、ハードディスク（ＨＤＤ）が交換かつ持ち運び可能(リムーバブルという)となると、図１４に示すようにあるパソコン（ＰＣＡ）３が該リムーバブルのハードディスク（リムーバブルＨＤＤという）４に記録した情報を他のパソコン（ＰＣＢ）５が読み込んで利用可能となり著作権上の問題が生じる。例えば、Ａさんのパソコン３だけに許可したファイルをリムーバブルＨＤＤ（ＲＭ−ＨＤＤ）４に記録したまま、該リムーバブルＨＤＤをＢさんのパソコン５に装着すればＢさんのパソコン（ＰＣＢ）５で該ファイルを利用できるようになり、著作権上の問題が生じる。
【０００３】
そこで、図１５（ａ）に示すように、パソコン（ＰＣＡ）３に、該パソコン３の認証番号ＰＣＩＤ（ＰＣＡ）と、該パソコンが使用できるリムーバブルＨＤＤ４の認証番号ＨＤＤ−ＩＤ（ＲＭ−ＨＤＤ）の対応付けを認証データとして記録し、また、図１５（ｂ）に示すように、リムーバブルＨＤＤ ４に、該リムーバブルＨＤＤの認証番号ＨＤＤ−ＩＤ（ＲＭ−ＨＤＤ）と、該リムーバブルＨＤＤを利用できるパソコン３の認証番号ＰＣＩＤ（ＰＣＡ）の対応付けを認証データとして記録する。そして、使用時においてパソコン側で認証が取れ、かつ、リムーバブルＨＤＤ側で認証がとれた場合に限り、パソコンがリムーバブルＨＤＤを利用できるようにする。このようにすれば、図１４において、パソコン（ＰＣＡ）３はリムーバブルＨＤＤ ４を利用できるが、パソコン（ＰＣＢ）５は該リムーバブルＨＤＤ４を利用できなくなり著作権上の問題は生じない。
なお、リムーバブルＨＤＤ４に記録されている情報をすべて消して、図１５（ｃ），（ｄ）に示す認証データをパソコン（ＰＣＢ）5とリムーバブルＨＤＤ 4に記録すれば、パソコン（ＰＣＢ）5はリムーバブルＨＤＤ４を利用できるようになる。しかし、今度は、パソコン３がリムーバブルＨＤＤ 4を利用できなくなる。
【０００４】
ところで、著作権の規定では、使用を許可された者がパソコンを複数台所持している場合、どのパソコンでリムーバブルＨＤＤにデータを書込んだり、データを読み取って利用しても何等の問題は生じない。このため、図１６に示すように2台のパソコン(ＰＣＡ,ＰＣＡ′)３ａ，３ａ′を備えたAさんは、パソコン（ＰＣＡ）３ａで２０曲の音楽データを作成し、パソコン（ＰＣＡ）３ａ′で別の１０曲の音楽データを作成し、それぞれを1台のリムーバブルＨＤＤ 4に記録して車載のオーディオ装置（ＡＤＵ）６に装着してこれら３０曲を楽しみたいような状況が生じる。しかし、前述の図１５の方法では、パソコンとリムーバブルＨＤＤ間の認証は１：１の関係しか規定しないため、別々のパソコン３ａ，３ａ′の音楽データを同時にリムーバブルＨＤＤ４に記録することができない。すなわち、図１６に示すようにパソコン（ＰＣＡ）３ａとリムーバブルＨＤＤ ４間の認証が規定されている場合には、パソコン（ＰＣＡ）３ａの２０曲の音楽データのみしかリムーバブルＨＤＤ ４に書込むことができず、パソコン３ａ′の１０曲を同時に楽しむことができない。なお、パソコン３ａ′の１０曲をリムーバブルＨＤＤ ４に書込むには、リムーバブルＨＤＤ４に記録されているパソコン３ａの利用情報をすべて消してから、図１５（ｃ），（ｄ）に示す認証データをパソコン（ＰＣＡ′）３ａ′とリムーバブルＨＤＤ 4にそれぞれ記録する必要がある。
【０００５】
以上より、図１５の１：１の認証法では、同一使用者は自分の複数のパソコン内に保存されているファイル(音楽データなど)を同時にリムーバブルＨＤＤに記録して利用できない問題がある。
また、自分が所有する複数のリムーバブルＨＤＤ に記録されているデータを1台のパソコンに取り込んで編集その他の処理を行ないたい場合がある。しかし、図１５の１：１の認証法では、1台のパソコンは同時に２台のリムーバブルＨＤＤからデータを取り込むことができない。たとえば、図１７に示すようにパソコン（ＰＣＡ）３ａに図示する認証データが書込まれている場合には、リムーバブルＨＤＤ４ａしか利用できず、リムーバブルＨＤＤ４ａ′を利用することはできない。
【０００６】
そこで、リムーバブルＨＤＤ ４を複数のパソコンに利用できるように認証データを持たせる複数認証法が考えられる。例えば、(1) 図１８（ａ）に示すように、パソコン（ＰＣＡ）３ａに該パソコン３ａのＩＤと、該パソコンが使用できるリムーバブルＨＤＤ４のＩＤ番号の対応付けを認証データとして記録し、また、(2) 図１８（ｂ）に示すように、パソコン（ＰＣＡ′）３ａ′に該パソコン３ａ′のＩＤと、該パソコンが使用できるリムーバブルＨＤＤ４のＩＤ番号の対応付けを認証データとして記録し、更に、(3) 図１８（ｃ）に示すように、リムーバブルＨＤＤ ４に該リムーバブルＨＤＤのＩＤ番号と、該リムーバブルＨＤＤを利用できるパソコン３ａ，３ａ′のＩＤ番号の対応付けを認証データとして記録する。
【０００７】
このようにすれば、リムーバブルＨＤＤ ４をパソコン３ａ，３ａ′に装着して各パソコンで作成したデータ(たとえば音楽データ)をリムーバブルＨＤＤ ４に記録してオーディオ装置で楽しむことができる。例えば、図１９に示すように、まず、リムーバブルＨＤＤ 4をパソコン３ａに装着し、該パソコンが作成した２０曲の音楽データをリムーバブルＨＤＤ ４に記録し、ついで、リムーバブルＨＤＤ４をパソコン３ａ′に装着し、該パソコンが作成した１０曲の音楽データをリムーバブルＨＤＤ ４に記録し、しかる後、リムーバブルＨＤＤ 4をオーディオ装置（ＡＤＵ）6に装着する。このようにすれば、オーディオ装置６で３０曲の音楽データを再生して楽しむことができる。
また、従来技術として作業終了時にパソコンのメモリデータを外部記憶装置に待避し、パスワード入力により待避したデータを復元して作業を続行するようにして著作権に配慮したものがある（特許文献1参照)。
【特許文献１】特開２００２−６９７８号公報
【発明の開示】
【発明が解決しようとする課題】
【０００８】
しかし、図１８の複数認証法において、パソコン（ＰＣＡ）３ａは認証がとれるとリムーバブルＨＤＤ ４に記録されている全ファイルにアクセス可能となり、パソコン（ＰＣＡ′）３ａ′が作成したファイルにもアクセス可能となる。同様に、パソコン（ＰＣＡ′）３ａ′は認証がとれるとリムーバブルＨＤＤ ４に記録されている全ファイルにアクセス可能となり、パソコン（ＰＣＡ）３ａが作成したファイルにもアクセス可能となる。パソコン３ａ，３ａ′の使用者が同一であれば著作権上なんら問題は生じないが、悪意によりパソコン３ａとパソコン３ａ′の使用者が異なる場合には著作権上の問題が発生する。たとえば、パソコン（ＰＣＡ）３ａの使用者Ａにのみ許容されてリムーバブルＨＤＤ ４に記録されているファイルを、使用を許可されていないパソコン(ＰＣＡ′)３ａ′の使用者Ｂに無断で使用されてしまう。同様に、パソコン（ＰＣＡ）３ａの使用者Ａが作成してリムーバブルＨＤＤ ４に記録されているファイルを、第3者であるパソコン(ＰＣＡ′)３ａ′の使用者Ｂに無断で使用されてしまう。
【０００９】
又、特許文献1の従来技術はリムーバブル記録媒体に書込まれたファイルの著作権を保護することはできない
以上から、本発明の目的は、各処理装置がリムーバブル記録媒体を利用できるようにするとともに、各処理装置がリムーバブル記録媒体に記録したファイルを他の処理装置が利用できないようにして著作権を保護することである。
本発明の別の目的は、各処理装置が著作権を守りつつ複数のリムーバブル記録媒体に記録したファイルを同時に取り込んで処理できるようにすることである。
【課題を解決するための手段】
【００１０】
本発明は、記録媒体と該記録媒体へのファイルアクセス制御を実行する制御部とを備えたリムーバブル記録媒体(たとえば、リムーバブルハードディスク)におけるファイル制御方法である。
第1の発明のファイル制御方法では、リムーバブル記録媒体に該記録媒体のファイル構造をディレクトリ形式で保持させると共に、処理装置に応じたフォルダーを該ファイル構造に含ませ、所定の処理装置に前記リムーバブル記録媒体が接続されたとき、該処理装置に応じたフォルダーに所属するファイルのみ利用可能とし、かつ作成したファイルは該フォルダーに所属させる可視化制御を行なう。
可視化制御は、所定の処理装置にリムーバブル記録媒体が接続されたとき、該処理装置のＩＤを取得し、該ＩＤが取得済みの場合には該処理装置に応じたフォルダーを可視化し、該ＩＤが取得済みでなければ、該処理装置に応じた新規フォルダーを定義して前記ファイル構造のルートディレクトリに接続し、該新規フォルダーを可視化することにより行なう。
【００１１】
第2の発明のファイル制御方法では、リムーバブル記録媒体を複数の区画に分割すると共に区画を処理装置に割り当て、所定の処理装置に該リムーバブル記録媒体が接続されたとき、該処理装置に応じた区画に記憶されたファイルのみ利用可能とし、かつ作成したファイルを該区画に記憶させる可視化制御を行なう。
可視化制御は、所定の処理装置にリムーバブル記録媒体が接続されたとき、該処理装置のＩＤを取得し、該ＩＤが取得済みの場合には該処理装置に応じた区画を可視化し、該ＩＤが取得済みでなければ、該処理装置に空き区画を割り当て、該割り当てた区画を可視化することにより行なう。
【００１２】
第3の発明は、処理装置に対して着脱可能なリムーバブル記録媒体であり、ファイルを保存する記録媒体、記録媒体のファイル構造をディレクトリ形式で該記録媒体に保持させると共に、処理装置に応じたフォルダーを該ファイル構造に含ませる手段、処理装置とフォルダーの対応関係を保存する手段、所定の処理装置に前記リムーバブル記録媒体が接続されたとき、該処理装置に応じたフォルダーに所属するファイルのみ利用可能とし、かつ作成したファイルを該フォルダーに所属させる可視化制御を行なう手段、を備えている。
前記可視化制御手段は、所定の処理装置にリムーバブル記録媒体が接続されたとき、該処理装置のＩＤを取得する手段、該ＩＤが取得済みの場合には該処理装置に応じたフォルダーを可視化する手段、該ＩＤが取得済みでなければ、該処理装置に応じた新規フォルダーを定義して前記ファイル構造のルートディレクトリに接続し、該新規フォルダーを可視化する手段、を備えている。
【００１３】
第４の発明は、処理装置に対して着脱可能なリムーバブル記録媒体であり、ファイルを保存する記録媒体、該記録媒体を複数の区画に分割すると共に区画を処理装置に割り当てる手段、区画と処理装置の対応関係を記憶する手段、所定の処理装置に該リムーバブル記録媒体が接続されたとき、該処理装置に応じた区画に記憶されたファイルのみ利用可能とし、かつ作成したファイルを該区画に記憶させる可視化制御を行なう可視化制御手段、を備えている。
前記可視化制御手段は、所定の処理装置にリムーバブル記録媒体が接続されたとき、該処理装置のＩＤを取得する手段、該ＩＤが取得済みの場合には該処理装置に応じた区画を可視化する手段、該ＩＤが取得済みでなければ、該処理装置に空き区画を割り当て、該割り当てた区画を可視化する手段、を備えている。
【発明の効果】
【００１４】
第1、第3の発明によれば、記録媒体のファイル構造をディレクトリ形式で保持させると共に、処理装置に応じたフォルダーを該ファイル構造に含ませ、所定の処理装置にリムーバブル記録媒体が接続されたとき、該処理装置に応じたフォルダーのみ可視化制御するようにしたから、処理装置はリムーバブル記録媒体に他の処理装置が記録したファイルをアクセスできないため著作権保護上の問題はなんら生じない。また、処理装置は任意のリムーバブル記録媒体を利用することができ、しかも、従来技術のように認証関係を設定する必要がないため操作性を向上することができる。
また、第1、第3の発明によれば、各処理装置が著作権を守りつつ複数のリムーバブル記録媒体に記録したファイルを同時に取り込んで処理することができる。
第２、第４の発明によれば、リムーバブル記録媒体を複数の区画に分割すると共に区画を処理装置に割り当て、所定の処理装置に該リムーバブル記録媒体が接続されたとき、該処理装置に応じた区画に記憶されたファイルのみ利用可能とし、かつ作成したファイルを該区画に記憶させる可視化制御を行なうようにしたから、処理装置はリムーバブル記録媒体に他の処理装置が記録したファイルをアクセスできないため著作権保護上の問題はなんら生じない。また、処理装置は空き区画が存在すれば、任意のリムーバブル記録媒体を利用することができ、しかも、従来技術のように認証関係を設定する必要がないため操作性を向上することができる。
また、第２、第４の発明によれば、各処理装置が著作権を守りつつ複数のリムーバブル記録媒体に記録したファイルを同時に取り込んで処理することができる。
又、本発明によれば、予め車載プロセッサのフォルダを設定し、あるいは区画を確保しておくため、車載プロセッサは確実にリムーバブル記録媒体にアクセス可能とすることができる。
【発明を実施するための最良の形態】
【００１５】
本発明の第1の形態は記録媒体と該記録媒体へのファイルアクセス制御を実行する制御部とを備えたリムーバブル記録媒体(たとえば、リムーバブルハードディスク)におけるファイル制御方法である。このファイル制御方法において、リムーバブル記録媒体に該記録媒体のファイル構造をディレクトリ形式で保持させると共に、処理装置に応じたフォルダー(ディレクトリ)を該ファイル構造に含ませる。そして、所定の処理装置にリムーバブル記録媒体が接続されたとき、該処理装置に応じたフォルダーに所属するファイルのみ利用可能とし、かつ作成したファイルを該フォルダーに所属させる可視化制御を行なう。
本発明の第2の形態は記録媒体と該記録媒体へのファイルアクセス制御を実行する制御部とを備えたリムーバブル記録媒体(たとえば、リムーバブルハードディスク)におけるファイル制御方法である。このファイル制御方法において、リムーバブル記録媒体を複数の区画に分割すると共に区画を処理装置に割り当て、所定の処理装置に該リムーバブル記録媒体が接続されたとき、該処理装置に応じた区画に記憶されたファイルのみ利用可能とし、かつ作成したファイルを該区画に記憶させる可視化制御を行なう。
【実施例１】
【００１６】
（Ａ）本発明の概略
図1は本発明の概略説明図である。リムーバブルＨＤＤ １０にはパソコン１１〜１３とフォルダー(ディレクトリ)との対応関係９１が保存されている。保存のタイミングはリムーバブルＨＤＤ １０をパソコン１１〜１３に接続したときである。なお、車内リッピング専用プロセッサのフォルダーは予め設定されている。
所定のパソコン(たとえばパソコン１１)にリムーバブルＨＤＤ １０が接続されたとき、リムーバブルＨＤＤ １０の可視化制御部(図示せず)は、パソコン１１よりその認証番号（PCＩＤ:0001）を取得する。該認証番号が既に取得済みの場合には、該パソコン１１に応じたフォルダー４のみを可視化し、該認証番号（PCＩＤ:0001）が取得済みでなければ(始めて接続した場合)、該パソコン１１に応じた新規フォルダー４を定義してファイル構造のルートディレクトリに接続し、かつ、該新規のフォルダー４のみを可視化する。フォルダーの可視化とは、該フォルダーに所属するファイルのみアクセス可能とし、かつ作成したファイルは該フォルダーに所属させる制御である。このように、他の処理装置１２，１３や車内リッピングプロセッサのフォルダー５〜７は可視化されないため、パソコン１１は他のパソコンが作成したファイルにアクセスすることはできない。
パソコン１２，１３にリムーバブルＨＤＤ１０が接続された場合にも同様の制御が行なわれ、著作権上の問題は生じない。
【００１７】
図２は本発明の別の概略説明図である。図1はリムーバブルＨＤＤ数ｍが１で処理装置数ｎが３の場合であるが、リムーバブルＨＤＤ数ｍ、処理装置数ｎが任意の数であってもよい。図2ではｍ＝３，ｎ＝３の場合が示されている。リムーバブルＨＤＤ １０ａにはパソコン１１〜１３とフォルダー(ディレクトリ)との対応関係９１ａが保存され、リムーバブルＨＤＤ １０ｂにはパソコン１１〜１３とフォルダーとの対応関係９１ｂが保存され、リムーバブルＨＤＤ １０ｃにはパソコン１１〜１３とフォルダーとの対応関係９１ｃが保存されている。保存のタイミングはリムーバブルＨＤＤ １０ａ〜１０ｃをパソコン１１〜１３に接続したときである。なお、車内リッピング専用プロセッサのフォルダーは予め設定されている。
【００１８】
この対応関係より、パソコン１１との接続時に可視化される音楽データは、リムーバブルＨＤＤ１０ａ（ＨＤＤ ＩＤ Serial No.1）のフォルダ1、リムーバブルＨＤＤ１０ｂ（ＨＤＤ ＩＤ Serial No.2）のフォルダ4、リムーバブルＨＤＤ１０ｃ（ＨＤＤ ＩＤ Serial No.3）のフォルダ8内の楽曲のみとなり、他のフォルダは不可視状態となる。なお、車内リッピング専用フォルダ内の楽曲は常に不可視状態となる。
また、パソコン１２との接続時に可視化される音楽データは、リムーバブルＨＤＤ１０ａ（ＨＤＤ ＩＤ Serial No.1）のフォルダ2、リムーバブルＨＤＤ１０ｂ（ＨＤＤ ＩＤ Serial No.2）のフォルダ5、リムーバブルＨＤＤ１０ｃ（ＨＤＤ ＩＤ Serial No.3）のフォルダ9内の楽曲のみとなり、他のフォルダは不可視状態となる。
さらに、パソコン１３との接続時に可視化される音楽データは、リムーバブルＨＤＤ１０ｂ（ＨＤＤ ＩＤ Serial No.2）のフォルダ6内の楽曲のみとなり、他のフォルダは不可視状態となる。
【００１９】
図3は第1実施例のリムーバブルＨＤＤ１０の構成図であり、ハードディスク（ＨＤＤ）２１、ATAPI ＩＦなどの汎用のディスクインターフェース２２、リムーバブルＨＤＤ全体のコントロールをおこなうプロセッサ（CPU1）２３、音楽データ(ファイル)のエンコード／デコード処理を行なうプロセッサ（CPU2）２４、各種データを保存するメモリ２５、ＵＳＢケーブルで接続されたパソコンとのインターフェース制御を行なうＵＳＢ インターフェース２６、オーディオ回路(オーディオプロセッサ)とのインターフェースを制御するディジタルオーディオインターフェース２７が設けられ、適宜、バス線ＢＵＳ１，ＢＵＳ２で接続されている。
メモリ２５には、ファイル構造データを記憶する記憶部（FＩＤ）３１、以前に接続したパソコンから取得したパソコン認証番号（PCＩＤ:0001，PCＩＤ:0003）を記憶する記憶部(PＩＤ)３２、パソコンとフォルダーの対応関係を記憶する記憶部（FOL）３３が設けられている。
【００２０】
図4はハードディスク２１におけるにファイル構造の説明図であり、ルートディレクトリは1以上のMP３音楽ファイル(図では３つのMP３音楽ファイルAAA.mp3〜CCC.mp3)と1以上(図では1つ)のディレクトリ（フォルダー）ABCで構成され、フォルダーABCは1つのサブフォルダーEFGと複数のMP３音楽ファイルJJJ.mp3〜LLL.mp3で構成され、サブフォルダーEFGは複数のMP３音楽ファイルEEE.mp3〜GGG.mp3で構成されている。ハードディスク２１におけるファイル構造は、ボリューム記述子を解析することにより求めることができ、解析によりたとえば図５に示すようファイル構造データ（パス構成及びMP3音楽ファイルの先頭アドレス）が得られ、記憶部３１に保存される。この図５の解析結果を用いることにより、任意のMP3音楽ファイルを再生したり、フォルダーを指定することにより該フォルダーに所属する音楽ファイルのみの再生をすることができる。なお、本発明では、各パソコンに応じたフォルダー (ディレクトリ) １〜３を作成し、これらをルートディレクトリ(root)に接続する。
【００２１】
図６はパソコン１１にリムーバブルＨＤＤ １０ａが接続された場合の説明図であり、パソコン１１のメモリ４１にはそれまでに接続されたリムーバブルＨＤＤの認証番号ＨＤＤ ＩＤ Serial No.0001，ＨＤＤ ＩＤ Serial No.0002が保存されている。また、リムーバブルＨＤＤ １０ａの記憶部３２にはそれまでに接続されたパソコンの認証番号PCＩＤ:0001，PCＩＤ:0002が保存され、記憶部３３にはパソコンのフォルダーが保存されている。
【００２２】
図７は第1実施例のパソコン１１及びリムーバブルＨＤＤ １０ａのファイルの可視化制御フローである。
パソコン１１は電源が投入されるとリムーバブルＨＤＤが接続されているか調べ(ステップ１０１)、接続されていればリムーバブルＨＤＤ１０ａにハードディスクの認証番号（ＨＤＤ-ＩＤ）を要求する(ステップ１０２)。そして、該ハードディスクの認証番号（ＨＤＤ-ＩＤ）を受信すれば(ステップ１０３)、該認証番号が取得済みであるかメモリ ４１(図６)に保持されている認証番号と照合し(ステップ１０４)、取得済みでなければ該受信した認証番号をメモリ４１に保存する(ステップ１０５，１０６)。認証番号保存後、あるいはステップ１０５におい認証番号を取得済みであれば、パソコン認証番号(PCＩＤ)及びメモリ４１に保存されているＨＤＤ-ＩＤをリムーバブルＨＤＤ１０aに送信する(ステップ１０７)。
以後、リムーバブルＨＤＤからＨＤＤ認証完了が通知されるのを待ち、該ＨＤＤ認証完了の受信(ステップ１０８)によりパソコン側の認証処理は終了する。
【００２３】
一方、リムーバブルＨＤＤ１０ａのプロセッサ２３(図３)は、パソコンなどの処理装置に接続されているか調べ(ステップ２０１)、接続されていれば、パソコン１１から認証番号（ＨＤＤ-ＩＤ）が要求されるのを待ち、要求されれば自分の認証番号（ＨＤＤ-ＩＤ）をメモリ２５の記憶部３２から取得してパソコン１１に送信する(ステップ２０２〜２０３)。ついで、パソコンからパソコンの認証番号(PCＩＤ)を受信すれば、メモリ２５の記憶部３２を参照して該認証番号(PCＩＤ)を取得済みであるかチェックする(ステップ２０４〜２０６)。取得済みでなければ、換言すればパソコン１１にリムーバブルＨＤＤ１０aが始めて接続されたのであれば、該パソコンの認証番号（PCＩＤ）を記憶部３２に保存すると共に、該パソコンのフォルダーを定義してルートディレクトリrootに接続し、かつ、パソコン認証番号（PCＩＤ）とフォルダーの対応関係を記憶部３３に保存する(ステップ２０７)。ついで、該フォルダーを有効化すると共に該フォルダーを可視化する(ステップ２０８〜２０９)。
【００２４】
一方、ステップ２０６でパソコンの認証番号(PCＩＤ)を取得済みであれば、ステップ２０４においてパソコン１１より受信したパソコン内のＨＤＤ-ＩＤが取得済みであるかチェックし(ステップ２１０)、取得済みであれば異常なしとする。しかし、取得済みでなければ、なんらかの異常が発生しているとみなし、著作権保護に完全を期するためにパソコン１１のフォルダーに属するファイルをすべて初期化する(ステップ２１１)。ステップ２１０，２１１の処理が終了すれば、パソコンの該認証番号(PCＩＤ)に応じたフォルダーを記憶部３３より求め、該フォルダーを有効化すると共に該フォルダーを可視化する(ステップ２０８〜２０９)。
ステップ２０９の処理が終了すれば、パソコン１１にＨＤＤ認証完了を通知して(ステップ２１２)、リムーバブルＨＤＤの認証処理は終了する。
【００２５】
図８はリムーバブルＨＤＤの可視化制御の処理フローである。
リムーバブルＨＤＤのプロセッサ２３は、接続されたプロセッサ１１に応じたフォルダー(フォルダー１)を記憶部３３から取得して可視化する。すなわち、該フォルダー１を仮想的にルートディレクトリとみなす(ステップ３０１)。ついで、パソコン１１よりファイルの読込要求があるかチェックし(ステップ３０２)、なければファイル書き込み要求があるかチェックする(ステップ３０３)。ファイル読込要求があれば、該ファイルはルートディレクトリに所属するかチェックし(ステップ３０４)、所属しなければ読み出し要求を拒絶し(ステップ３０５)、所属すれば読み出し要求を許可してハードディスク２１から該ファイルを読み出してパソコン１１に送信する（ステップ３０６）。
一方、ステップ３０３において、書き込み要求があれば、該ファイルがルートディレクトリ配下のファイルとなるように制御する(ステップ３０７)。
以上、第1実施例によれば、処理装置はリムーバブル記録媒体に他の処理装置が記録したファイルをアクセスできないため著作権保護上の問題はなんら生じない。また、処理装置は任意のリムーバブル記録媒体を利用することができ、しかも、従来技術のように認証関係を設定する必要がないため操作性を向上することができる。また、第１実施例によれば、各処理装置が著作権を守りつつ複数のリムーバブル記録媒体に記録したファイルを同時に取り込んで処理することができる。
【実施例２】
【００２６】
第1実施例ではパソコンに応じたフォルダーをルートディレクトリに接続し、各パソコンは自フォルダー内のファイルにのみアクセス可能となるように構成したが、第2実施例ではハードディスクを区画化し、パソコンに区画を割り当て、各パソコンは自区画内のファイルにのみアクセス可能となるようにしている。
図９は第2実施例のリムーバブルＨＤＤの構成図であり、図３の第1実施例のリムーバブルＨＤＤと同一部分には同一符号を付している。異なる点は、パソコン認証番号とフォルダーの対応関係を記憶する記憶部３３に変わって区画番号とパソコンとの対応関係を記憶部（PAT）３４を設けた点である。
【００２７】
ハードディスク２１は図１０に示すように予め区画化処理により、n個に区画化されている。区画管理テーブル７１は、n個の区画８１ａ〜８１ｎの区画情報７１ａ〜７１ｎを有している。第1〜第ｎ区画情報７１ａ〜７１ｎは、それぞれ対応する区画８１ａ〜８１ｎの開始セクタ、最終セクタ、区画のセクタ数、区画内のフォーマット情報等を含んでいる。各区画８１ａ〜８１ｎは、区画内のファイルを管理するために必要な情報を記憶するボリューム記述領域８２、ＦＡＴ(File Allocation Table)やディレクトリ（Directory）を保存するファイル管理領域８３、ファイルが書込まれるファイル領域８４を有している。
【００２８】
図１１は区画化されているリムーバブルＨＤＤ １０ａがパソコン１１に接続された場合の説明図であり、パソコン１１のメモリ４１にはそれまでに接続されたリムーバブルＨＤＤの認証番号ＨＤＤ ＩＤ Serial No.0001，ＨＤＤ ＩＤ Serial No.0002が保存されている。また、リムーバブルＨＤＤ １０ａの記憶部３２にはそれまでに接続されたパソコンの認証番号PCＩＤ:0001，PCＩＤ:0003）が保存され、記憶部３４には区画番号とパソコンとの対応関係が保存されている。
【００２９】
図１２は第2実施例のパソコン１１及びリムーバブルＨＤＤ １０ａのファイルの可視化制御フローである。
パソコン１１は電源が投入されるとリムーバブルＨＤＤが接続されているか調べ(ステップ４０１)、接続されていればリムーバブルＨＤＤ１０ａにハードディスクの認証番号（ＨＤＤ-ＩＤ）を要求する(ステップ４０２)。そして、該ハードディスクの認証番号（ＨＤＤ-ＩＤ）を受信すれば(ステップ４０３)、該認証番号が取得済みであるかメモリ ４１に保持されている認証番号（ＨＤＤ-ＩＤ）と照合し(ステップ４０４)、取得済みでなければ該受信した認証番号をメモリ４１に保存する(ステップ４０５，４０６)。認証番号保存後、あるいはステップ４０５におい認証番号を取得済みであれば、パソコン認証番号(PCＩＤ)及びメモリ４１に保存されているＨＤＤ-ＩＤをリムーバブルＨＤＤ１０aに送信する(ステップ４０７)。
【００３０】
以後、リムーバブルＨＤＤからＨＤＤ認証完了あるいはアクセス不可能通知が通知されるのを待ち、該アクセス不可能通知あるいはＨＤＤ認証完了の受信(ステップ４０８)によりパソコンの認証処理は終了する。
一方、リムーバブルＨＤＤ１０ａのプロセッサ２３(図９)は、パソコンなどの処理装置に接続されているか調べ(ステップ５０１)、接続されていればパソコン１１から認証番号（ＨＤＤ-ＩＤ）が要求されるのを待ち、要求されれば自分の認証番号（ＨＤＤ-ＩＤ）をメモリ２５の記憶部３２から取得してパソコン１１に送信する(ステップ５０２〜５０３)。ついで、パソコン１１からパソコンの認証番号(PCＩＤ)を受信すれば、メモリ２５の記憶部３２を参照して該認証番該号(PCＩＤ)を取得済みであるかチェックする(ステップ５０４〜５０６)。取得済みでなければ、換言すればパソコン１１にリムーバブルＨＤＤ１０aが始めて接続されたのであれば、空きの区画(パーティション)が存在するか調べ(ステップ５０７)、空きの区画が存在しなければパソコン１１にアクセス不可能を通知して処理を終了する(ステップ５０８)。
【００３１】
ステップ５０７において、空きの区画が存在すれば、パソコン１１の認証番号（PCＩＤ）を記憶部３２に保存すると共に、該パソコンの区画を確保し、かつ、パソコン認証番号（PCＩＤ）と区画番号の対応関係を記憶部３４に保存する(ステップ５０９)。ついで、該区画を有効化すると共に該区画を可視化する(ステップ５１０〜５１１)。区画を可視化するとは、指定された区画内のファイルのみを読み出せ、かつ、該区画内にのみファイルを書き込めるようにすることである。
一方、ステップ５０６でパソコンの認証番号(PCＩＤ)を取得済みであれば、ステップ５０４においてパソコン１１より受信したパソコン内のＨＤＤ-ＩＤが取得済みであるかチェックし(ステップ５１２)、取得済みであれば異常なしとする。しかし、取得済みでなければ、なんらかの異常が発生しているとみなし、著作権保護に完全を期するためにパソコン１１に応じた区画内を初期化する(ステップ５１３)。ステップ５１２，５１３の処理が終了すれば、パソコンの該認証番号(PCＩＤ)に応じた区画を記憶部３４より求め、該区画を有効化すると共に該区画を可視化する(ステップ５１０〜５１１)。
【００３２】
ステップ５１１の可視化処理が終了すれば、パソコン１１にＨＤＤ認証完了を通知して(ステップ５１４)、リムーバブルＨＤＤの認証処理は終了する。
以上、第２実施例によれば、処理装置はリムーバブル記録媒体に他の処理装置が記録したファイルをアクセスできないため著作権保護上の問題はなんら生じない。また、処理装置は任意のリムーバブル記録媒体を利用することができ、しかも、従来技術のように認証関係を設定する必要がないため操作性を向上することができる。また、第２実施例によれば、各処理装置が著作権を守りつつ複数のリムーバブル記録媒体に記録したファイルを同時に取り込んで処理することができる。
以上ではリムーバブルＨＤＤを用いた場合について説明したが、リムーバブルな半導体記憶装置、交換可能で持ち運び可能なメモリスティック等の小型半導体記憶カードであっても良い。
【図面の簡単な説明】
【００３３】
【図１】本発明の概略説明図である。
【図２】本発明の別の概略説明図である。
【図３】第1実施例のリムーバブルＨＤＤの構成図である。
【図４】ハードディスクにおけるにおけるファイル構造の説明図である。
【図５】ファイル構造データ説明図である。
【図６】パソコンにリムーバブルＨＤＤが接続された場合の説明図である。
【図７】第1実施例のパソコン及びリムーバブルＨＤＤのファイルの可視化制御フローである。
【図８】リムーバブルＨＤＤの可視化制御の処理フローである。
【図９】第2実施例のリムーバブルＨＤＤの構成図である。
【図１０】ハードディスクの区画化説明図である。
【図１１】区画化されているリムーバブルがパソコンに接続された場合の説明図である。
【図１２】第2実施例のパソコン及びリムーバブルＨＤＤのファイルの可視化制御フローである。
【図１３】背景技術説明図である。
【図１４】リムーバブルＨＤＤの著作権上の問題点説明図である。
【図１５】１：１の認証法説明図である。
【図１６】１：１の認証法の第1の問題点説明図である。
【図１７】１：１の認証法の第２の問題点説明図である。
【図１８】複数認証法説明図である。
【図１９】複数認証法の問題点説明図である。
【符号の説明】
【００３４】
１０  リムーバブルＨＤＤ
１１〜１３  パソコン
２１  ハードディスク（ＨＤＤ）
２２  ディスクインターフェース
２３  リムーバブルＨＤＤ全体のコントロールをおこなうプロセッサ（CPU1）
２４  エンコード／デコード処理を行なうプロセッサ（CPU2）
２５  メモリ
２６  ＵＳＢ インターフェース
２７  ディジタルオーディオインターフェース
【図１】
2005182122.tif 000003
【図２】
2005182122.tif 000004
【図３】
2005182122.tif 000005
【図４】
2005182122.tif 000006
【図５】
2005182122.tif 000007
【図６】
2005182122.tif 000008
【図７】
2005182122.tif 000009
【図８】
2005182122.tif 000010
【図９】
2005182122.tif 000011
【図１０】
2005182122.tif 000012
【図１１】
2005182122.tif 000013
【図１２】
2005182122.tif 000014
【図１３】
2005182122.tif 000015
【図１４】
2005182122.tif 000016
【図１５】
2005182122.tif 000017
【図１６】
2005182122.tif 000018
【図１７】
2005182122.tif 000019
【図１８】
2005182122.tif 000020
【図１９】
2005182122.tif 000021